(57)【要約】      （修正有）【課題】デザイン性を確保しつつ、付加的な表示が可能な表示装置を提供する。【解決手段】表示パネル３と、直線偏光反射層５と、光散乱層６と、を順に備え、（１）表示パネル３は、表示領域ＤＲ１及び非表示領域ＤＲ２で構成される複数の領域に表示面が分割されている、という状態、（２）直線偏光反射層５は、第一の反射領域及び第二の反射領域を含む複数の領域に分割されている、という状態、及び、（３）光散乱層６は、光散乱領域ＬＲ１及び光透過領域ＬＲ２で構成される複数の領域に分割されている、という状態、からなる群より選択される少なくとも２つの状態を構成し、表示領域ＤＲ１及び非表示領域ＤＲ２の一方と、第一の反射領域及び第二の反射領域の一方と、光散乱領域ＬＲ１及び光透過領域ＬＲ２の一方と、からなる群より選択され、かつ、少なくとも２つの状態で設けられる少なくとも２つの領域は、互いに重畳する表示装置。【選択図】図２
2019120874.tif 000002
【特許請求の範囲】
【請求項１】
表示パネルと、
直線偏光反射層と、
光散乱層と、を順に備え、
前記表示パネル、前記直線偏光反射層、及び、前記光散乱層は、
（１）前記表示パネルは、表示光を出射する表示領域と、表示光を出射しない非表示領域と、で構成される複数の領域に表示面が分割されている、という状態、
（２）前記直線偏光反射層は、第一の直線偏光を反射する第一の反射領域と、前記第一の直線偏光とは波長が異なる第二の直線偏光を反射する第二の反射領域と、を含む複数の領域に分割されている、という状態、及び、
（３）前記光散乱層は、入射光を散乱させる光散乱領域と、入射光を透過させる光透過領域と、で構成される複数の領域に分割されている、という状態、からなる群より選択される少なくとも２つの状態を構成し、
前記表示領域及び前記非表示領域の一方と、前記第一の反射領域及び前記第二の反射領域の一方と、前記光散乱領域及び前記光透過領域の一方と、からなる群より選択され、かつ、前記少なくとも２つの状態で設けられる少なくとも２つの領域は、互いに重畳することを特徴とする表示装置。
【請求項２】
前記表示パネルは、前記表示領域及び前記非表示領域で構成される複数の領域に前記表示面が分割されている状態を構成し、
前記光散乱層は、前記光散乱領域及び前記光透過領域で構成される複数の領域に分割されている状態を構成し、
前記表示領域及び前記光透過領域は互いに重畳し、かつ、前記非表示領域及び前記光散乱領域は互いに重畳することを特徴とする請求項１に記載の表示装置。
【請求項３】
前記直線偏光反射層は、前記第一の反射領域及び前記第二の反射領域を含む複数の領域に分割されている状態を構成し、
前記光散乱層は、前記光散乱領域及び前記光透過領域で構成される複数の領域に分割されている状態を構成し、
前記第一の反射領域及び前記光散乱領域は互いに重畳し、かつ、前記第二の反射領域及び前記光透過領域は互いに重畳することを特徴とする請求項１に記載の表示装置。
【請求項４】
前記表示パネルは、前記表示領域及び前記非表示領域で構成される複数の領域に前記表示面が分割されている状態を構成し、
前記光散乱層は、前記光散乱領域及び前記光透過領域で構成される複数の領域に分割されている状態を構成し、
前記表示領域及び前記光散乱領域は互いに重畳し、かつ、前記非表示領域及び前記光透過領域は互いに重畳することを特徴とする請求項１に記載の表示装置。
【請求項５】
前記光散乱層は、少なくとも前記光散乱領域に高分子分散型液晶を含有することを特徴とする請求項１〜４のいずれかに記載の表示装置。
【請求項６】
前記光散乱層は、前記光透過領域に前記高分子分散型液晶を含有することを特徴とする請求項５に記載の表示装置。
【請求項７】
前記光散乱層は、前記光透過領域に前記高分子分散型液晶を含有しないことを特徴とする請求項５に記載の表示装置。
【請求項８】
前記表示パネルは、液晶表示パネルであることを特徴とする請求項１〜７のいずれかに記載の表示装置。
【発明の詳細な説明】
【技術分野】
【０００１】
本発明は、表示装置に関する。より詳しくは、非表示時にも好ましく利用可能な表示装置に関するものである。
【背景技術】
【０００２】
液晶表示装置等の表示装置においては、非表示時に画面が黒色になるだけであるため、デザイン性の改善が望まれている。これに対して、表示装置の前面側にハーフミラー層を配置することで、表示装置にミラーとしての機能を付与するミラーディスプレイが提案されている（例えば、特許文献１参照）。
【先行技術文献】
【特許文献】
【０００３】
【特許文献１】国際公開第２０１５／１４１３５０号
【発明の概要】
【発明が解決しようとする課題】
【０００４】
上記特許文献１には、液晶表示装置と、ハーフミラー層としての反射型偏光板と、光拡散部材と、を順に有するミラーディスプレイが開示されている。このようなミラーディスプレイによれば、ミラーモード時に拡散反射面を有する周辺環境と調和可能である、と記載されている。しかしながら、本発明者が検討したところ、上記ミラーディスプレイでは、デザイン性を確保しつつ、付加的な表示を行う点で改善の余地があることが分かった。
【０００５】
本発明は、上記現状に鑑みてなされたものであり、デザイン性を確保しつつ、付加的な表示が可能な表示装置を提供することを目的とするものである。
【課題を解決するための手段】
【０００６】
本発明者は、デザイン性を確保しつつ、付加的な表示が可能な表示装置について種々検討したところ、表示パネル、直線偏光反射層、及び、光散乱層の積層構造において、これらの部材のうちの少なくとも２つを、機能が異なる領域に分割して連動させれば、付加的な表示が可能となることを見出した。これにより、上記課題をみごとに解決することができることに想到し、本発明に到達したものである。
【０００７】
すなわち、本発明の一態様は、表示パネルと、直線偏光反射層と、光散乱層と、を順に備え、上記表示パネル、上記直線偏光反射層、及び、上記光散乱層は、（１）上記表示パネルは、表示光を出射する表示領域と、表示光を出射しない非表示領域と、で構成される複数の領域に表示面が分割されている、という状態、（２）上記直線偏光反射層は、第一の直線偏光を反射する第一の反射領域と、上記第一の直線偏光とは波長が異なる第二の直線偏光を反射する第二の反射領域と、を含む複数の領域に分割されている、という状態、及び、（３）上記光散乱層は、入射光を散乱させる光散乱領域と、入射光を透過させる光透過領域と、で構成される複数の領域に分割されている、という状態、からなる群より選択される少なくとも２つの状態を構成し、上記表示領域及び上記非表示領域の一方と、上記第一の反射領域及び上記第二の反射領域の一方と、上記光散乱領域及び上記光透過領域の一方と、からなる群より選択され、かつ、上記少なくとも２つの状態で設けられる少なくとも２つの領域は、互いに重畳する表示装置であってもよい。
【発明の効果】
【０００８】
本発明によれば、デザイン性を確保しつつ、付加的な表示が可能な表示装置を提供することができる。
【図面の簡単な説明】
【０００９】
【図１】実施形態１の表示装置を示す断面模式図である。
【図２】実施形態１の表示装置を示す平面模式図である。
【図３】実施形態１の表示装置の表示部の動作原理を説明するための断面模式図である。
【図４】実施形態１の表示装置の非表示部の動作原理を説明するための断面模式図である。
【図５】実施形態２の表示装置を示す平面模式図である。
【図６】実施形態２の変形例の表示装置を示す平面模式図である。
【図７】実施形態３の表示装置を示す平面模式図である。
【発明を実施するための形態】
【００１０】
以下に実施形態を掲げ、本発明について図面を参照して更に詳細に説明するが、本発明はこれらの実施形態のみに限定されるものではない。また、各実施形態の構成は、本発明の要旨を逸脱しない範囲において適宜組み合わされてもよいし、変更されてもよい。
【００１１】
以下の実施形態では、表示パネルが液晶表示パネルである場合を例示するが、表示パネルの種類は特に限定されない。表示パネルは、液晶表示パネルの他に、例えば、有機エレクトロルミネッセンス表示パネル、プラズマ表示パネル等であってもよい。
【００１２】
本明細書中、「Ｘ〜Ｙ」は、「Ｘ以上、Ｙ以下」を意味する。
【００１３】
［実施形態１］
実施形態１の表示装置について、図１、２を参照して以下に説明する。図１は、実施形態１の表示装置を示す断面模式図である。図２は、実施形態１の表示装置を示す平面模式図である。
【００１４】
表示装置１は、バックライト２と、液晶表示パネル３と、直線偏光反射層５と、光散乱層６と、を順に有している。
【００１５】
＜液晶表示パネル＞
液晶表示パネル３は、バックライト２側から直線偏光反射層５側に向かって順に、吸収型偏光板７ａと、液晶セル８と、吸収型偏光板７ｂと、を有している。
【００１６】
吸収型偏光板７ａ、７ｂとしては、例えば、ポリビニルアルコール（ＰＶＡ）フィルムにヨウ素錯体（又は染料）等の異方性材料を、染色及び吸着させてから延伸配向させたもの等が挙げられる。
【００１７】
液晶セル８としては、例えば、一対の基板間に液晶層が挟持される構成が挙げられる。一対の基板の組み合わせとしては、例えば、従来公知の薄膜トランジスタアレイ基板及びカラーフィルタ基板の組み合わせ等が挙げられる。
【００１８】
液晶表示パネル３は、表示光を出射する表示領域ＤＲ１と、表示光を出射しない非表示領域ＤＲ２と、で構成される複数の領域に表示面が分割されている状態を構成している。このような状態を実現する方法としては、例えば、バックライト２としてローカルディミングバックライトを用いる方法が挙げられる。ローカルディミングバックライトは、光源（発光領域）が複数の領域に分割して配置され、光源の点灯状態（任意の輝度で点灯可能）及び消灯状態を複数の領域毎に設定可能な機能を有している。例えば、液晶表示パネル３において、ローカルディミングバックライトの点灯領域と重畳する領域は、液晶表示パネル３（吸収型偏光板７ｂ）の直線偏光反射層５側に直線偏光（表示光）を出射する表示領域ＤＲ１として機能することができる。一方、ローカルディミングバックライトの消灯領域と重畳する領域は、液晶表示パネル３（吸収型偏光板７ｂ）の直線偏光反射層５側に直線偏光（表示光）を出射しない非表示領域ＤＲ２として機能することができる。ここで、表示面内の非表示領域ＤＲ２は、表示面内で非表示状態に切り替えられた領域を指し、表示面内で常に非表示状態である領域（例えば、ブラックマトリクスのみが配置される領域等）、表示面の周囲にある額縁領域、等は除外される。
【００１９】
以上の方法によれば、液晶表示パネル３に、同一時刻、同一表示面内で、ある領域を表示領域ＤＲ１、別の領域を非表示領域ＤＲ２として動作させる機能を提供することができる。液晶表示パネル３は、このような状態を構成可能であればよく、表示領域ＤＲ１及び非表示領域ＤＲ２で構成される複数の領域に表示面が常時分割されていなくてもよい。
【００２０】
＜直線偏光反射層＞
直線偏光反射層５は、入射光のうち、反射軸と平行な方向に振動する直線偏光を反射し、その反射軸と直交する方向（透過軸と平行な方向）に振動する直線偏光を透過させる機能を有している。
【００２１】
直線偏光反射層５としては、例えば、ワイヤーグリッド反射型偏光板、多層型反射型偏光板、等の反射型偏光板が挙げられる。
【００２２】
本実施形態において、直線偏光反射層５は、反射波長特性が異なる２種類の領域を含む複数の領域に分割されていないが、後述する実施形態２のように、反射波長特性が異なる２種類の領域を含む複数の領域に分割されていてもよい。
【００２３】
＜光散乱層＞
光散乱層６は、入射光を散乱させる光散乱領域ＬＲ１と、入射光を透過させる光透過領域ＬＲ２と、で構成される複数の領域に分割されている状態を構成している。ここで、光透過領域ＬＲ２は、光散乱領域ＬＲ１と違い、入射光を散乱させることなく透過させる領域を指す。このような光散乱層６は、少なくとも光散乱領域ＬＲ１に高分子分散型液晶（ＰＤＬＣ：Ｐｏｌｙｍｅｒ  Ｄｉｓｐｅｒｓｅｄ  Ｌｉｑｕｉｄ  Ｃｒｙｓｔａｌ）を含有することが好ましい。
【００２４】
高分子分散型液晶は、液晶が微小粒滴として高分子マトリクス中に分散しているものである。高分子分散型液晶は、例えば、ネマティック液晶及び光硬化性樹脂の混合物に対して光照射を行い、光硬化性樹脂を重合させることによって形成可能である。
【００２５】
高分子分散型液晶は、直線偏光反射層５側及び直線偏光反射層５とは反対側から挟持する一対の電極間への電圧印加有無によって、その機能が制御される。
【００２６】
高分子分散型液晶は、電圧無印加状態（一対の電極間に電圧を印加しない状態）では、分散した液晶（微小粒滴）の配向ベクトルが互いに異なる方向を向くため、それらの界面で入射光を散乱させる。よって、光散乱層６において、高分子分散型液晶が電圧無印加状態である領域は、光散乱領域ＬＲ１として機能することができる。
【００２７】
一方、高分子分散型液晶は、電圧印加状態（一対の電極間に電圧を印加した状態）では、液晶及び高分子の屈折率がほぼ等しくなるため、入射光を透過させる。よって、光散乱層６において、高分子分散型液晶が電圧印加状態である領域は、光透過領域ＬＲ２として機能することができる。つまり、光散乱層６は、光透過領域ＬＲ２に高分子分散型液晶を含有していてもよい。
【００２８】
以上より、高分子分散型液晶に電圧を印加する一対の電極を、高分子分散型液晶とともに複数の領域に分割して配置し、一対の電極への電圧印加有無を複数の領域毎に設定することで、光散乱層６に、同一時刻、同一面内で、ある領域を光散乱領域ＬＲ１、別の領域を光透過領域ＬＲ２として動作させる機能を提供することができる。光散乱層６は、このような状態を構成可能であればよく、光散乱領域ＬＲ１及び光透過領域ＬＲ２で構成される複数の領域に常時分割されていなくてもよい。
【００２９】
また、光散乱層６において、高分子分散型液晶を配置しない領域を光透過領域ＬＲ２としてもよい。つまり、光散乱層６は、光透過領域ＬＲ２に高分子分散型液晶を含有していなくてもよい。
【００３０】
光散乱層６は、高分子分散型液晶に加えて、例えば、光拡散板（例えば、ビーズが基材に練り込まれた従来公知のもの）を光散乱領域ＬＲ１に含有していてもよい。
【００３１】
表示装置１において、表示領域ＤＲ１及び光透過領域ＬＲ２は互いに重畳し、かつ、非表示領域ＤＲ２及び光散乱領域ＬＲ１は互いに重畳している。本実施形態によれば、表示装置１は、表示領域ＤＲ１及び光透過領域ＬＲ２が重畳する領域において、液晶表示パネル３による画像等を表示することができる（表示部）。また、表示装置１は、非表示領域ＤＲ２及び光散乱領域ＬＲ１が重畳する領域において、反射色に応じて色付いて見え、周辺環境（例えば、表示装置１の筐体）と調和した印象を与えることもできる（非表示部）。このような表示装置１の動作原理について、以下に説明する。
【００３２】
＜表示部＞
図３は、実施形態１の表示装置の表示部の動作原理を説明するための断面模式図である。図３では、便宜上、液晶表示パネル３と、直線偏光反射層５と、光散乱層６と、を離間して図示している。
【００３３】
表示装置１の表示部では、液晶表示パネル３の表示領域ＤＲ１から表示光が出射される。具体的には、図３に示すように、バックライト２から出射された光が、液晶表示パネル３（吸収型偏光板７ｂ）の直線偏光反射層５側に直線偏光１０ａ（表示光：液晶表示パネル３による画像等）として出射される。直線偏光１０ａは、吸収型偏光板７ｂの透過軸と平行な方向に振動する直線偏光である。
【００３４】
ここで、直線偏光反射層５の透過軸は、直線偏光１０ａの振動方向と平行になるように設定されている。そのため、液晶表示パネル３から直線偏光反射層５に入射する直線偏光１０ａは、直線偏光反射層５を透過する。
【００３５】
その後、直線偏光反射層５を透過した直線偏光１０ａは、光散乱層６の光透過領域ＬＲ２を透過し、結果的に、表示装置１から出射される。
【００３６】
以上より、表示装置１の表示部では、表示装置１の出射光を観察することになり、液晶表示パネル３による画像等が観察可能となる。
【００３７】
＜非表示部＞
図４は、実施形態１の表示装置の非表示部の動作原理を説明するための断面模式図である。図４では、便宜上、液晶表示パネル３と、直線偏光反射層５と、光散乱層６と、を離間して図示している。
【００３８】
表示装置１の非表示部では、液晶表示パネル３の非表示領域ＤＲ２から表示光が出射されない。一方、図４に示すように、表示装置１の光散乱層６側に入射する外光１２（無偏光）は、光散乱層６の光散乱領域ＬＲ１で、直線偏光反射層５側及び直線偏光反射層５とは反対側に散乱する。
【００３９】
ここで、直線偏光反射層５の透過軸は、直線偏光１０ａの振動方向と平行になるように設定されている一方で、直線偏光反射層５の反射軸は、直線偏光１０ｂ（直線偏光１０ａと直交する方向に振動する直線偏光）の振動方向と平行になるように設定されている。そのため、光散乱層６で直線偏光反射層５側に散乱した外光１２のうち、直線偏光１０ａは直線偏光反射層５を透過し、直線偏光１０ｂは直線偏光反射層５で光散乱層６側に反射する。
【００４０】
そして、直線偏光反射層５を透過した直線偏光１０ａは、液晶表示パネル３及びバックライト２で適宜吸収される。一方、直線偏光反射層５で光散乱層６側に反射された直線偏光１０ｂは、光散乱層６の光散乱領域ＬＲ１で散乱する。
【００４１】
以上より、表示装置１の非表示部では、表示装置１の反射光（散乱光）を観察することになり、表示装置１が反射色に応じて色付いて見える。また、表示装置１の非表示部においては、直線偏光反射層５の作用効果によって、反射率の高い（すなわち、充分に明るい）反射色表示が実現される。更に、表示装置１の非表示部は、光散乱層６の作用効果によって、拡散反射面を有する周辺環境と調和可能となるため、優れたデザイン性が実現可能となる。
【００４２】
液晶表示パネル３及び光散乱層６の分割領域について、図２では、四角形状（略正方形状）の６つの領域が２行３列のマトリクス状に配置されているが、分割領域の数、形状、配置等は特に限定されない。例えば、分割領域の数は６つよりも多くてもよく、分割領域の形状は四角形以外の異形状であってもよく、分割領域の配置は２行３列以外のマトリクス状であってもよい。
【００４３】
図２では、液晶表示パネル３（直線偏光反射層５）及び光散乱層６の位置関係を分かりやすくするため、両者の外縁をずらして図示しているが、両者の外縁は一致していてもよい。これらは、後述する図５〜７においても同様である。
【００４４】
［実施形態２］
実施形態２の表示装置について、図５を参照して以下に説明する。図５は、実施形態２の表示装置を示す平面模式図である。実施形態２の表示装置は、直線偏光反射層が複数の領域に分割されている状態を構成し、かつ、光散乱層が複数の領域に分割されている状態を構成していること以外、実施形態１の表示装置と同様であるため、重複する点については説明を省略する。
【００４５】
直線偏光反射層５は、第一の直線偏光を反射する第一の反射領域ＦＲ１と、第一の直線偏光とは波長が異なる第二の直線偏光を反射する第二の反射領域ＦＲ２と、を含む複数の領域に分割されている状態を構成している。このような状態を実現する方法としては、例えば、以下の方法が挙げられる。
【００４６】
第一の方法として、ワイヤーグリッド反射型偏光板を利用してもよい。ワイヤーグリッド反射型偏光板においては、ワイヤーグリッドのピッチ、アスペクト比等を調整することによって反射波長特性を変えることができる。そのため、ワイヤーグリッドのピッチ、アスペクト比等を面内で変化させることによって、第一の反射領域ＦＲ１及び第二の反射領域ＦＲ２を含む複数の領域に分割することができる。このようなワイヤーグリッド反射型偏光板は、液晶表示パネル３（吸収型偏光板７ｂ）への貼り付け前後を問わず、形成可能である。
【００４７】
第二の方法として、多層型反射型偏光板を構成する誘電体膜を利用してもよい。まず、第一の直線偏光に対応する反射波長特性を有する第一の誘電体膜と、第二の直線偏光に対応する反射波長特性を有する第二の誘電体膜と、を別々に準備する。そして、第一の誘電体膜及び第二の誘電体膜を所定のパターンに打ち抜く。その後、第一の誘電体膜が打ち抜かれた領域に第二の誘電体膜が配置され、第二の誘電体膜が打ち抜かれた領域に第一の誘電体膜が配置されるように、第一の誘電体膜及び第二の誘電体膜のパターンを組み合わせて、１つのフィルム状にする。これにより、第一の誘電体膜が配置される領域が第一の反射領域ＦＲ１として機能し、第二の誘電体膜が配置される領域が第二の反射領域ＦＲ２として機能することができる。第一の誘電体膜及び第二の誘電体膜が打ち抜かれていない領域は、部分的に重畳していてもよい。このように重畳した領域では、第一の直線偏光及び第二の直線偏光に対応する反射波長特性が得られる。第二の方法によれば、第一の方法と比較して、反射波長特性を狭帯域のみに調整しやすい。
【００４８】
以上の方法によれば、直線偏光反射層５に、同一時刻、同一面内で、ある領域を第一の反射領域ＦＲ１、別の領域を第二の反射領域ＦＲ２として動作させる機能を提供することができる。これにより、直線偏光反射層５による反射色が２色にパターニングされる。
【００４９】
表示装置１において、第一の反射領域ＦＲ１及び光散乱領域ＬＲ１は互いに重畳し、かつ、第二の反射領域ＦＲ２及び光透過領域ＬＲ２は互いに重畳している。ここで、液晶表示パネル３は、表示面が非表示領域ＤＲ２のみで構成されている。本実施形態によれば、表示装置１の非表示時に、光散乱領域ＬＲ１又は光透過領域ＬＲ２（図５では、光透過領域ＬＲ２）で、文字等が浮かび上がるように見える。更に、直線偏光反射層５による反射色が、光散乱領域ＬＲ１と重畳する第一の反射領域ＦＲ１と、光透過領域ＬＲ２と重畳する第二の反射領域ＦＲ２と、で互いに異なるため、表示装置１の非表示時に、文字等がより明瞭に浮かび上がるように見える。
【００５０】
本実施形態では、光散乱層６が、光散乱領域ＬＲ１及び光透過領域ＬＲ２の両方において高分子分散型液晶を含有しているが（一対の電極が高分子分散型液晶とともに複数の領域に分割されているが）、変形例として、図６に示すように、高分子分散型液晶を配置する領域を光散乱領域ＬＲ１とし、高分子分散型液晶を配置しない領域を光透過領域ＬＲ２としてもよい。図６は、実施形態２の変形例の表示装置を示す平面模式図である。本変形例においても、表示装置１の非表示時に、光散乱層６の光散乱領域ＬＲ１又は光透過領域ＬＲ２（図６では、光透過領域ＬＲ２）で、文字等が浮かび上がるように見える。
【００５１】
本実施形態及びその変形例において、直線偏光反射層５を分割する複数の領域は、第一の反射領域ＦＲ１及び第二の反射領域ＦＲ２のみで構成されているが、第一の反射領域ＦＲ１及び第二の反射領域ＦＲ２以外に、第一の直線偏光及び第二の直線偏光とは波長が異なる直線偏光を反射する少なくとも１種の反射領域を含んでいてもよい。これにより、直線偏光反射層５による反射色が少なくとも３色にパターニングされる。
【００５２】
本実施形態及びその変形例において、液晶表示パネル３は、表示面が非表示領域ＤＲ２のみで構成されているが、実施形態１のように、表示領域ＤＲ１及び非表示領域ＤＲ２で構成される複数の領域に分割されている状態を構成していてもよい。
【００５３】
［実施形態３］
実施形態３の表示装置について、図７を参照して以下に説明する。図７は、実施形態３の表示装置を示す平面模式図である。実施形態３の表示装置は、表示パネルを構成する複数の領域と光散乱層を構成する複数の領域との位置関係が異なること以外、実施形態１の表示装置と同様であるため、重複する点については説明を省略する。
【００５４】
表示装置１において、表示領域ＤＲ１及び光散乱領域ＬＲ１は互いに重畳し、かつ、非表示領域ＤＲ２及び光透過領域ＬＲ２は互いに重畳している。ここで、直線偏光反射層５は、反射波長特性が異なる２種類の領域を含む複数の領域に分割されていない（例えば、第一の反射領域ＦＲ１のみで構成されている）。本実施形態によれば、表示領域ＤＲ１及び光散乱領域ＬＲ１が重畳する領域において、液晶表示パネル３による画像等が、光散乱層６の光散乱領域ＬＲ１の作用（散乱）によって若干ぼけるものの観察可能となる。
【００５５】
本実施形態において、直線偏光反射層５は、反射波長特性が異なる２種類の領域を含む複数の領域に分割されていないが、実施形態２のように、第一の反射領域ＦＲ１及び第二の反射領域ＦＲ２を含む複数の領域に分割されていてもよい。
【００５６】
実施形態１〜３では、液晶表示パネル３が出射する表示光が直線偏光である場合を例示したが、表示光としては、直線偏光以外に、円偏光、楕円偏光等であってもよい。表示光は、このような偏光状態であってもよく、様々な偏光状態がランダムに含まれる状態、いわゆる無偏光状態であってもよい。
【００５７】
［付記］
本発明の一態様は、表示パネルと、直線偏光反射層と、光散乱層と、を順に備え、上記表示パネル、上記直線偏光反射層、及び、上記光散乱層は、（１）上記表示パネルは、表示光を出射する表示領域と、表示光を出射しない非表示領域と、で構成される複数の領域に表示面が分割されている、という状態、（２）上記直線偏光反射層は、第一の直線偏光を反射する第一の反射領域と、上記第一の直線偏光とは波長が異なる第二の直線偏光を反射する第二の反射領域と、を含む複数の領域に分割されている、という状態、及び、（３）上記光散乱層は、入射光を散乱させる光散乱領域と、入射光を透過させる光透過領域と、で構成される複数の領域に分割されている、という状態、からなる群より選択される少なくとも２つの状態を構成し、上記表示領域及び上記非表示領域の一方と、上記第一の反射領域及び上記第二の反射領域の一方と、上記光散乱領域及び上記光透過領域の一方と、からなる群より選択され、かつ、上記少なくとも２つの状態で設けられる少なくとも２つの領域は、互いに重畳する表示装置であってもよい。本態様によれば、デザイン性を確保しつつ、付加的な表示が可能な表示装置が実現される。
【００５８】
上記表示パネルは、上記表示領域及び上記非表示領域で構成される複数の領域に上記表示面が分割されている状態を構成し、上記光散乱層は、上記光散乱領域及び上記光透過領域で構成される複数の領域に分割されている状態を構成し、上記表示領域及び上記光透過領域は互いに重畳し、かつ、上記非表示領域及び上記光散乱領域は互いに重畳していてもよい。これにより、上記表示装置は、上記表示領域及び上記光透過領域が重畳する領域において、上記表示パネルによる画像等を表示することができる（表示部）。また、上記表示装置は、上記非表示領域及び上記光散乱領域が重畳する領域において、反射色に応じて色付いて見え、周辺環境（例えば、上記表示装置の筐体）と調和した印象を与えることもできる（非表示部）。
【００５９】
上記直線偏光反射層は、上記第一の反射領域及び上記第二の反射領域を含む複数の領域に分割されている状態を構成し、上記光散乱層は、上記光散乱領域及び上記光透過領域で構成される複数の領域に分割されている状態を構成し、上記第一の反射領域及び上記光散乱領域は互いに重畳し、かつ、上記第二の反射領域及び上記光透過領域は互いに重畳していてもよい。これにより、上記第一の反射領域及び上記光散乱領域が重畳する領域、又は、上記第二の反射領域及び上記光透過領域が重畳する領域において、文字等が明瞭に浮かび上がるように見える。
【００６０】
上記表示パネルは、上記表示領域及び上記非表示領域で構成される複数の領域に上記表示面が分割されている状態を構成し、上記光散乱層は、上記光散乱領域及び上記光透過領域で構成される複数の領域に分割されている状態を構成し、上記表示領域及び上記光散乱領域は互いに重畳し、かつ、上記非表示領域及び上記光透過領域は互いに重畳していてもよい。これにより、上記表示領域及び上記光散乱領域が重畳する領域において、上記表示パネルによる画像等が若干ぼけるものの観察可能となる。
【００６１】
上記光散乱層は、少なくとも上記光散乱領域に高分子分散型液晶を含有していてもよい。これにより、上記光散乱層の少なくとも上記光散乱領域を効果的に利用することができる。
【００６２】
上記光散乱層は、上記光透過領域に上記高分子分散型液晶を含有していてもよい。これにより、上記光散乱層において、上記高分子分散型液晶を配置する領域を上記光透過領域として利用することができる。
【００６３】
上記光散乱層は、上記光透過領域に上記高分子分散型液晶を含有していなくてもよい。これにより、上記光散乱層において、上記高分子分散型液晶を配置しない領域を上記光透過領域として利用することができる。
【００６４】
上記表示パネルは、液晶表示パネルであってもよい。これにより、上記表示パネルとして液晶表示パネルを用いる場合においても、本発明を適用することができる。
【符号の説明】
【００６５】
１：表示装置
２：バックライト
３：液晶表示パネル
５：直線偏光反射層
６：光散乱層
７ａ、７ｂ：吸収型偏光板
８：液晶セル
１０ａ、１０ｂ：直線偏光
１２：外光
ＤＲ１：表示領域
ＤＲ２：非表示領域
ＦＲ１：第一の反射領域
ＦＲ２：第二の反射領域
ＬＲ１：光散乱領域
ＬＲ２：光透過領域
【図１】
2019120874.tif 000003
【図２】
2019120874.tif 000004
【図３】
2019120874.tif 000005
【図４】
2019120874.tif 000006
【図５】
2019120874.tif 000007
【図６】
2019120874.tif 000008
【図７】
2019120874.tif 000009